(57)【要約】      （修正有）【課題】硬質な骨を有しない鯉のぼり凧において、風力による立体的な鯉のぼりの形成・持続を容易にし、しかも飛揚の安定性能を向上させて広範囲な適応風力に対応させる。【解決手段】硬質な骨を有しない鯉のぼり凧において、糸目Ａと尾部の閉塞部分Ｂ1、Ｂ2との両作用により、縦長の鯉のぼりの姿勢を自動制御的に風力に応じて常に自立させて、風力による立体的な鯉のぼりの形成・持続を容易にし、飛揚の安定性能を向上させて広範囲な風力に適応する骨なしの鯉のぼり凧が可能となる。【選択図】図１
0003110407.tif 000002
【実用新案登録請求の範囲】
【請求項１】
糸目と尾部の閉塞部分の両作用により、風力による立体的な鯉のぼりの形成・持続を容易にし、しかも飛揚の安定性能を向上させて広範囲な風
力に適応することを特徴とする硬質な骨を要しない鯉のぼりの凧。
【考案の詳細な説明】
【技術分野】
【０００１】
本考案は、風力によってその立体的形状を空に維持しつつ安定した飛揚性能を確保するための、硬質な骨を有しない鯉のぼりの凧に関するもの
である。
【背景技術】
【０００２】
鯉のぼりの形状をした凧は、従来から様々な工夫で作られている。しかし、そのほとんどが硬質な骨組みを有する。その代表例
【非特許文献１】「立体凧（広井力著徳間書店発行）鯉のぼり凧」は、骨の数も少なく空力学的にも優れたものであるが、硬質な骨組みを基本とするアンドン凧やテンション凧の応用として位置付けられ、骨の損傷や持ち運びの不便さも問われ、風力によってその立体的形状を形成・維持して空に飛揚する骨のない構造の凧の範疇に属するとは捉え難い。
【０００３】
これに対してフレキシブルな構造をテーマとして製作された例としては
【非特許文献２】「日本の凧の会会報第３７号２９頁六連の鯉のぼり凧（本考案者脇ヒカル製作）」は、市販の鯉のぼりに複数の糸目をつけて、骨のない構造のままで風力によって自然に立体的な鯉のぼりの形状を空に飛揚させたものである。その後の糸目数や糸目位置の改良にかかわらず、限られた風力範囲内での飛揚は、揚げ手の技術に頼らざるを得ない状況であった。すなわち、揚げ糸を杭等に固定した状況においては、弱風時には鯉のぼりの円筒形の形状が保たれずに崩れ、強風時には縦長の形状が自動制御的に自立出来ずに左右いずれかの方向に傾斜して横倒れになる欠点があった。揚げ糸の操作技術に依存しないで、立体的形状をより確保し易く、しかも広範囲な風力適応能力で安定して飛揚するフレキシブルな鯉のぼり凧の改良が望まれた。
【考案の開示】
【考案が解決しようとする課題】
【０００４】
解決しようとする問題点は、風力による糸の張力でシートの形状と揚力を確保する骨なし鯉のぼり凧においては、図１のＡの糸目数や糸目位置の
調整改良のみでは風力適応範囲が狭く、揚げ糸の高度な操作技術が要求され、揚げ糸を杭等に固定した状況での広範囲な風力変化に晒された
場合には、その立体的形状を空に維持して安定した飛揚性能を確保することが困難な点である。
【課題を解決するための手段】
【０００５】
硬質な骨を有しない鯉のぼり凧においては、糸目と尾部の閉塞部分との両作用により、その立体的形状と揚力の安定性を同時に確保できること
を最も主要な特徴とする。
【考案の効果】
【０００６】
本考案における図１、図２のような糸目と尾部の閉塞部分を有するフレキシブルな鯉のぼり凧の構造が、風力による立体的な鯉のぼりの形状の
形成・維持を容易にし、しかも飛揚の安定性能を向上させて広範囲な風力に適応できる利点がある。
【０００７】
これを詳細に述べれば、図１の糸目Ａは揚力を発生させるだけではなく、風力による糸の張力でフレキシブルなシートを鯉のぼりの形状に形成す
る重要な役割を果たすが、鯉のぼりの円筒形の胴体を通り抜ける風は図１、図２の尾部の閉塞部分Ｂ1、Ｂ2によって僅少な抵抗を受け、単に風が
通り過ぎるだけの吹流しとは異なる現象が生じ、立体的形状の形成・維持が更に容易となる。ただし、Ｂ1、Ｂ2の閉塞範囲は揚力を阻害しない限度
が要求され、シートの形・大きさ、糸目位置との相互関係で決定される。
【０００８】
さらに糸目位置Ａから分岐する各糸目の本数やシートの取り付け位置、その糸目長さ等は、飛揚の安定性能に当然重要であるが、この糸目Ａの
作用のみで飛揚の安定性能は確保されるのではなく、図１、図２の尾部閉塞部分Ｂ1、Ｂ2が決定的な効果を発生させる。尾部の閉塞部分Ｂ1、Ｂ2
は、前述した通りの立体的形状の形成・維持という機能を果たすが、最重要な点は、ここで生じる僅少な風の抵抗が、縦長の凧の姿勢を自動制御
的に風力に応じて常に自立させて垂直尾翼のような役割を果たし、飛揚の安定性能を格段に向上させ、広範囲な適応風力に対応できる鯉のぼり
凧となる効果が生じる事である。風力が強くなるほど、縦長の鯉のぼり凧の姿勢は左右いずれかの方向に傾きを生じやすくなるが、閉塞部分Ｂ1、
Ｂ2の内部にかかる風圧が風力に応じて強くなり、尾部を押し下げて鯉のぼり内部全体の風の流れを地面と垂直に方向付け、鯉のぼり凧の姿勢を
自動制御的に自立させる効果が生じる。ただし、閉塞部分は揚力を阻害しない限度が要求されることは前述の通りである。
【０００９】
本考案における鯉のぼり凧は、硬質な骨を有しないから壊れにくく、フレキシブルであるから携帯便利である。
【考案を実施するための最良の形態】
【００１０】
硬質な骨を有しない鯉のぼり凧において、図１の糸目Ａと尾部閉塞部分Ｂ1、Ｂ2との両作用により、広範囲の風力の元で立体的形状と揚力の安
定性能を同時に実現した。
【実施例１】
【００１１】
図１は本考案の１実施例の硬質な骨を有しない鯉のぼり凧である。鯉のぼりの形をした軟質シートに糸目Ａを取り付ける。Ａから分岐する各糸目
の総数が９本の場合として表示したが、糸目本数や糸目位置は、シートの形状、大きさ等によって異なり得るが、取り付け位置は鯉のぼりのシート
全長の三分の二未満で足りる。
【００１２】
図１・図２のＢ1、Ｂ2は、尾部の一部分だけを縫製または接着して底の抜けたポケット状にした閉塞部分を表す。Ｂ1、Ｂ2の僅少な閉塞の長さの
範囲は、揚力を阻害しない限度が要求され、シートの形・大きさや糸目位置との相互関係で決定される。尾部の末端まで閉じずに底の抜けたポケ
ット状とする理由は、内部を流れる風を封じ留めるのではなく、抑制しながらも風力に応じた風の流れを残して凧全体の風の流れを滑らかにさせる
ためである。末端まで閉じない付随的な利点は、末端まで閉じた場合には実際の凧の揚げ下ろしの際に石等の異物が溜まり煩わしく飛揚性能にも
悪影響を及ぼすことへの防止策ともなる。
【００１３】
なお、図１のように、鯉のぼりのシートの口の前面に切り込みを入れると風が内部に吹き込み易くなり、更に口輪としてナイロン・コード等の軟質の
軽量リングを取り付けると更に形状の形成・維持に優れる。
【産業上の利用可能性】
【００１４】
本考案における鯉のぼり凧は、日本の伝統的な鯉のぼりを、天に昇って龍となることは出来ないが、性能に優れた凧にして空高く揚げて娯楽に
供する事が出来き、硬質な骨を有しないから安全で壊れにくく携帯便利である。
【図面の簡単な説明】
【００１５】
【図１】本考案の鯉のぼり凧の構造を示した全体図。（実施例１）
【図２】本考案の鯉のぼり凧の尾部の閉塞部分を示した図。（実施例１）
【符号の説明】
【００１６】
Ａ    糸目
Ｂ1、Ｂ2    尾部の閉塞部分
【図１】
0003110407.tif 000003
【図２】
0003110407.tif 000004
【手続補正書】
【提出日】平成17年2月16日(2005.2.16)
【手続補正１】
【補正対象書類名】明細書
【補正対象項目名】００１１
【補正方法】変更
【補正の内容】
【００１１】
図１は本考案の１実施例の硬質な骨を有しない鯉のぼり凧である。鯉のぼりの形をした軟質シートに糸目Ａを取り付ける。Ａから分岐す
る各糸目本数や糸目位置は、シートの形状、大きさ等によって様々に異なり得るが、図１は糸目Ａを鯉のぼりの口部分に2本取り付けて、風力に
よる揚力と形状を確保した例である。更に多くの糸目で形状と安定性を確保することは可能であるが、その取り付け位置は鯉のぼりのシート全長
の上から三分の二未満で足りる。
【手続補正２】
【補正対象書類名】図面
【補正対象項目名】図１
【補正方法】変更
【補正の内容】
【図１】
0003110407.tif 000005